(57)【要約】【課題】電子式に替わり、簡単かつ耐久性があり、低・高温多湿環境に耐える定位装置付きギヤードモーターの提供。【解決手段】ギヤードモーターは、ギアケース１、電動機２、ジャンクションボックス３、制動装置４を備え、該ギアケースと電動機は減速伝動機構を構成し、定位装置はギアケースに設置され、駆動ギア５１、追動ギア５２、定位ギア５３、定位装置基台５４、定位装置スクリュー桿５５、２連制御の一群のリミットスイッチ５６からなり、該駆動ギア５１は、連接している該追動ギア５２定位ギア５３の順に駆動して該定位装置スクリュー桿５５を回転させ、該定位装置スクリュー桿５５上のリミット端子が一端の該リミットスイッチ５６に接触すると、電動機の電気を遮断し、再度通電されると逆回転する。【選択図】図１
0003216833.tif 000002
【実用新案登録請求の範囲】
【請求項１】
ギアケース、電動機、ジャンクションボックス、制動装置を備え、該ギアケースと電動機は減速伝動機構を構成し、該ギアケース内にはギアユニットを設置し、該制動装置は電動機の末端に設置し、該ジャンクションボックスは電動機の外表面に設置した定位装置付のギヤードモーターにおいて、
上記定位装置はギアケースに設置され、駆動ギア、追動ギア、定位ギア、定位装置基台、定位装置スクリュー桿、リミットスイッチを含み、該駆動ギアはギアケース前端の出力軸に設置され、該追動ギアは該駆動ギアと噛み合い、該定位装置スクリュー桿は定位装置基台に設置されて定位ギアを設けて追動ギアと噛み合わせ、該定位装置スクリュー桿は前記リミットスイッチを動作させるリミット端子を設置すると共に該定位ギアにより駆動され、
該リミットスイッチは二連制御のリミットスイッチであって上記リミット端子に対応して該定位装置基台上に配置された、
ことを特徴とする定位装置付のギヤードモーター。
【請求項２】
前記定位装置は、更に、ギアケース上面に定位装置上蓋を設けて、前記定位装置を覆い、ギアケース前端に定位装置駆動輪保護蓋を設けて、ギアケース前端の出力軸に固定された駆動ギア、該駆動ギアに噛合う追動ギアを覆った、
ことを特徴とする請求項１記載の定位装置付のギヤードモーター。
【請求項３】
前記定位装置上蓋とギアケースの間は、ワッシャーを設置して密封したことを特徴とする請求項１記載の定位装置付のギヤードモーター。
【考案の詳細な説明】
【技術分野】
【０００１】
本考案は、一種の昇降、横移動機械設備に関するもので、特に定位装置を追加設置したギヤードモーターに係る。
【背景技術】
【０００２】
現有技術のギヤードモーターは、昇降、横移動機械設備であり、電子式である。
【先行技術文献】
【特許文献】
【０００３】
【特許文献１】特開平１１−７９５７０号公報
【考案の概要】
【考案が解決しようとする課題】
【０００４】
解決しようとする問題点は、構造設置方式、使用寿命、メンテナンスコスト、設置効率、占有空間等の各方面にも改善が待たれ、更に特殊環境温度及び湿度では長期間使用できず、壊れやすい点である。
【課題を解決するための手段】
【０００５】
本考案は、ギアケース、電動機、ジャンクションボックス、制動装置を含む。該ギアケースと電動機は減速伝動機構を構成する。該ギアケース内にはギアユニットを設置し、該制動装置は電動機の末端に設置し、該ジャンクションボックスは電動機の外表面に設置され、定位装置はギアケース上に設置される。
該定位装置は駆動ギア、追動ギア、定位ギア、定位装置基台、定位装置スクリュー桿、リミットスイッチを含む。本考案が提供するのは定位装置を追加設置したギヤードモーターであることを最も主要な特徴とする。
【考案の効果】
【０００６】
本考案の定位装置付のギヤードモーターは、以下の利点がある。１）該ギヤードモーター構造が簡単で安定性が高く、寿命が延長され、メンテナンスがしやすい。２）該ギヤードモーターの設置作業は、効率よくスピーディーであり、設置場所も小さくて済む。設置効率は従来の定位装置付きギヤードモーターと比べて５倍である。３）該ギヤードモーターは１００℃から-４０℃まで作業環境温度が幅広く、作業環境湿度は８０%以上まで対応できる。従来の定位装置は電子式であるため、特殊環境温度及び高湿度環境では長期間使用できず、壊れやすかった。４）該ギヤードモーターの価格は従来の定位装置付のギヤードモーターの６割である。拠って極めて高い市場競争力を備える。
【図面の簡単な説明】
【０００７】
【図１】本考案の定位装置付のギヤードモーターの構造指示図である。
【考案を実施するための形態】
【０００８】
本考案は上述の問題を改善するため、定位装置付のギヤードモーターを提供する。そのうち、具体的技術は以下のとおりである。
【０００９】
本考案は、ギアケース、電動機、ジャンクションボックス、制動装置を含む。該ギアケースと電動機は減速伝動機構を構成する。該ギアケース内にはギアユニットを設置し、該制動装置は電動機の末端に設置し、該ジャンクションボックスは電動機の外表面に設置する。特徴として、更に定位装置をギアケース上に設置し、該定位装置は駆動ギア、追動ギア、定位ギア、定位装置基台、定位装置スクリュー桿、リミットスイッチを含む。該駆動ギアはギアケース前端の出力軸上に設置し、該追動ギアはネジでギアケース上に固定して駆動ギアと噛み合う。該定位装置スクリュー桿は定位装置基台上に設置し定位ギアを連接して、それを追動ギアと噛み合わせる。該定位装置スクリュー桿はギアケース上面に配置し、該リミットスイッチはネジで該定位装置基台上にそれぞれ固定する。
【００１０】
上述の定位装置付のギヤードモーターにおいて、該定位装置は更に定位装置駆動輪保護蓋、定位装置上蓋を含み、該定位装置駆動輪保護蓋はネジでギアケース上に固定し、該定位装置上蓋もネジでギアケース上に固定する。
【００１１】
上述の定位装置付のギヤードモーターにおいて、該定位装置上蓋とギアケースの間には、ワッシャーを設置する。
【実施例】
【００１２】
以下に、図を参照して実施例を示し、本考案を更に説明する。
【００１３】
本考案の定位装置付のギヤードモーターの構造を以下に説明する。
本考案の定位装置付のギヤードモーターは以下の部品によって構成される。ギア減速機は、ギヤードモーター全体の核心部分であり、最前端にある。定位装置は、ギア減速機の上方で出力軸を連接して作動する。モーターは、ギア減速機及び制動装置を連接して運動エネルギーを出力する。ジャンクションボックス３はモーター外表に設置し、内部は電源を繋ぐ端子である。制動装置４は電動機末端でモーターを連接し、それが電気出力部品となる。定位装置と減速機の一体成型構造によって、運搬、設置過程で壊れるのを防止する。
【００１４】
具体的に、ギアケース１、電動機２、ジャンクションボックス３、制動装置４、定位装置（駆動ギア５１、追動ギア５２、定位ギア５３、定位装置基台５４、定位装置スクリュー桿５５、リミットスイッチ５６、定位装置駆動輪保護蓋５７、定位装置上蓋５８、ワッシャー５９を含む）を含む。
該ギアケース１と該電動機２が減速伝動機構を構成し、ギアケース１内にはギアユニットを設置する。該制動装置４は電動機２の末端に設置し、該ジャンクションボックス３は電動機２の外表面に設置する。該駆動ギア５１はギアケース１前端の出力軸上に設置し、該追動ギア５２はネジでギアケース１上に固定して駆動ギア５１と噛み合う。該定位装置スクリュー桿５５は該定位装置基台５４上に設置し該定位ギア５３を連接し、それと追動ギア５２を噛み合わせ、共に該ギアケース１上面に配置する。
２連制御の一群のリミットスイッチ５６は、ネジで該定位装置基台５４上にそれぞれ固定する。該定位装置駆動輪保護蓋５７は、ネジで該ギアケース１に固定し、該定位装置上蓋５８もネジで該ギアケース１上に固定する。以上において、該定位装置上蓋５８と該ギアケース１の間にワッシャー５９を設置すると、定位装置とギアケース間の密封度が向上する。
【００１５】
電源が入れて通電すると、定位装置を追加設置したギヤードモーターは運転を開始する。該駆動ギア５１は、連接している該追動ギア５２定位ギア５３の順に駆動して該定位装置スクリュー桿５５を回転させる。回転中、該定位装置スクリュー桿５５の上面のリミット端子が一端の該リミットスイッチ５６に接触すると、電動機の電気を遮断して回転を止める。次に電動機を通電すると反回転する。回転中、該定位装置スクリュー桿５５上面のリミット端子が別の一端の該リミットスイッチ５６に接触すると、電動機の電気を遮断して半回転を終える。
【００１６】
正回転、反回転は、それぞれ二連制御のリミットスイッチであるため、仮に第一のリミットスイッチが壊れた時、第二のリミットスイッチが作業を継続するので、昇降機運転の安全を保証できる。
【００１７】
本考案は、良好な実施例を上述に示したが、それは本考案を限定するものではない。当領域の技術者に依る本考案の精神及び範囲から逸脱しない如何なる技術もすべて本考案の請求範囲に含まれる。
【符号の説明】
【００１８】
１        ギアケース
２        電動機
３        ジャンクションボックス
４        制動装置
５１        駆動ギア
５２        追動ギア
５３        定位ギア
５４        定位装置基台
５５        定位装置スクリュー桿
５６        リミットスイッチ
５７        定位装置駆動輪保護蓋
５８        定位装置上蓋
５９        ワッシャー
【図１】
0003216833.tif 000003
【手続補正書】
【提出日】平成30年4月23日(2018.4.23)
【手続補正１】
【補正対象書類名】実用新案登録請求の範囲
【補正対象項目名】請求項３
【補正方法】変更
【補正の内容】
【請求項３】
前記定位装置上蓋とギアケースの間は、ワッシャーを設置して密封したことを特徴とする請求項２記載の定位装置付のギヤードモーター。